(57)【特許請求の範囲】
【請求項１】
交流電流を所定電圧値の直流電流に変換するＡＣアダプタと、該ＡＣアダプタを被覆可能なスタンドと、無線電話機の充電用端子設置端を支持すると共に前記充電用端子に接し得る給電用接片を備え、且つ前記スタンドと連結される置き台と、前記のＡＣアダプタから出力される直流電流を前記給電用接片へ送給する給電用ケーブルと、該給電用ケーブルを巻き付けるための前記スタンドの外表面に設けた巻き取り部材とを備えてなることを特徴とする無線電話機用充電装置。
【請求項２】
前記巻き取り部材は、前記スタンドの外表面から突出するリブと、前記スタンドより離れて前記リブに設けたフランジと、を有することを特徴とする請求項１に記載の無線電話機用充電装置。
【請求項３】
交流電流を所定電圧値の直流電流に変換するＡＣアダプタと、該ＡＣアダプタが挿入されるスタンドと、無線電話機の充電用端子設置端を支持すると共に前記充電用端子に接し得る給電用接片を備え、且つ前記スタンドと連結される置き台と、前記のＡＣアダプタから出力される直流電流を前記給電用接片へ送給する給電用ケーブルと、該給電用ケーブルを巻き付けるための前記ＡＣアダプタに設けた巻き取り部材とを備えてなることを特徴とする無線電話機用充電装置。
【請求項４】
給電用ケーブルが巻き付けられ得るようにＡＣアダプタの端面から突出するリブと、該リブの反ＡＣアダプタ寄り縁部に設けたフランジとによって、巻き取り部材を形成した請求項３に記載の無線電話機用充電装置。
【請求項５】
基端部分が給電用ケーブルに係合し且つ巻き取り部材に巻き付けた給電用ケーブルを巻き付け方向に覆い得る面ファスナあるいは伸縮性を有する無端帯状体を備えた請求項１乃至請求項４のいずれかに記載の無線電話機用充電装置。
【発明の詳細な説明】
【０００１】
【発明の属する技術分野】
本発明は無線電話機用充電装置に関するものである。
【０００２】
【従来の技術】
近年、携帯電話機、あるいは、有線方式の電話機に付属するコードレス子機などの種々の無線電話機が普及しているが、このような無線電話機には、送受信に必要な電力を得るための電池が内蔵されている。
【０００３】
図１７は従来の無線電話機用充電装置の一例を示すもので、この無線電話機用充電装置は、屋内給電用のＡＣコンセント（図示せず）に挿入されるプラグ１によって得た交流電流（ＡＣ１００Ｖ）を所定電圧値の直流電流に変換するＡＣアダプタ２と、後面に受電用コネクタ１１を有し且つ携帯電話機３が支持される置き台９と、受電用コネクタ１１に挿入可能な給電用コネクタ６と、前記のＡＣアダプタ２から出力される直流電流を給電用コネクタ６へ送給する給電用ケーブル７とによって構成されている。
【０００４】
また、携帯電話機３の反アンテナ寄り端部には、図１８に示すように、インタフェース用コネクタ４と、充電用端子５とが設けられており、インタフェース用コネクタ４は、雨水や塵埃などが触れないように、通常は保護カバー８によって覆われている。
【０００５】
置き台９には、携帯電話機３の充電用端子５設置端寄り部分が上方から挿入される凹陥部１０が形成されており、該凹陥部１０に充電用端子５設置端寄り部分が挿入された携帯電話機３を、その前面のアンテナ寄り端が若干後方へ傾いた起立状態で支持し得るようになっている。
【０００６】
凹陥部１０の内底面には、携帯電話機３の充電用端子５（図１８参照）がそれぞれ接し得る２つの給電用接片（図示せず）が設けられており、該給電用接片は、リード線（図示せず）を介して前記の受電用コネクタ１１の受電用端子に導通している。
【０００７】
図１７に示す無線電話機用充電装置を用いて、携帯電話機３に内蔵されている電池に対する充電を行なう際には、置き台９の受電用コネクタ１１に給電用コネクタ６を挿入して、該給電用コネクタ６の接片と受電用コネクタ１１の受電用端子とを当接させる。
【０００８】
また、携帯電話機３の充電用端子５設置端寄り部分を置き台９の凹陥部１０に挿入して、該凹陥部１０の内底部の給電用接片と携帯電話機３の充電用端子５とを当接させる。
【０００９】
次いで、ＡＣアダプタ２のプラグ１をＡＣコンセントに挿入し、ＡＣアダプタ２から出力される直流電流を、給電用ケーブル７、給電用コネクタ６、受電用コネクタ１１、リード線、及び置き台９の凹陥部１０の給電用接片を介して充電用端子５に給電し、携帯電話機３の電池に対する充電を行なう。
【００１０】
この無線電話機用充電装置は、携帯電話機３を、その前面のアンテナ寄り端が若干後方へ傾いた起立状態で支持し得る置き台９を備えているので、携帯電話機３が充電中であっても、アンテナゲインの低下に起因した受信不良が生じることがなく、また、携帯電話機３の発光ダイオード表示部１２及び液晶表示部１３の視認性も低下しない。
【００１１】
【発明が解決しようとする課題】
しかしながら、図１７に示す無線電話機用充電装置では、携帯電話機３の充電用端子５設置端寄り部分を取り囲む形状の大きな置き台９が、携帯電話機３と給電用コネクタ６との間に介在するため、携帯性がよいとはいえない。
【００１２】
また、給電用ケーブル７を、屋内給電用のＡＣコンセントの設置位置を勘案して、一般的な机の上面から床面までの距離（約７５〜８０ｃｍ程度）に取り回しの余裕を加えた長さ（約１３０ｃｍ程度）に設定しているため、無線電話機用充電装置の持ち運びにあたっては、結束用バンドなどにより給電用ケーブル７を束ねるという繁雑な作業を行なう必要がある。
【００１３】
本発明は上述した実情に鑑みてなしたもので、給電用ケーブルの取り扱いが容易で且つ携帯性に優れた無線電話機用充電装置を提供することを目的としている。
【００１４】
【課題を解決するための手段】
上記目的を達成するため、本発明の請求項１に記載の無線電話機用充電装置では、交流電流を所定電圧値の直流電流に変換するＡＣアダプタと、該ＡＣアダプタを被覆可能なスタンドと、無線電話機の充電用端子設置端を支持すると共に前記充電用端子に接し得る給電用接片を備え、且つ前記スタンドと連結される置き台と、前記のＡＣアダプタから出力される直流電流を前記給電用接片へ送給する給電用ケーブルと、該給電用ケーブルを巻き付けるための前記スタンドの外表面に設けた巻き取り部材とを備えている。
【００１５】
本発明の請求項２に記載の無線電話機用充電装置では、前記巻き取り部材は、前記スタンドの外表面から突出するリブと、前記スタンドより離れて前記リブに設けたフランジと、を有している。
【００１６】
本発明の請求項３に記載の無線電話機用充電装置では、交流電流を所定電圧値の直流電流に変換するＡＣアダプタと、該ＡＣアダプタが挿入されるスタンドと、無線電話機の充電用端子設置端を支持すると共に前記充電用端子に接し得る給電用接片を備え、且つ前記スタンドと連結される置き台と、前記のＡＣアダプタから出力される直流電流を前記給電用接片へ送給する給電用ケーブルと、該給電用ケーブルを巻き付けるための前記ＡＣアダプタに設けた巻き取り部材とを備えている。
【００１７】
本発明の請求項４に記載の無線電話機用充電装置では、本発明の請求項３に記載の無線電話機用充電装置の構成に加えて、給電用ケーブルが巻き付けられ得るようにＡＣアダプタの端面から突出するリブと、該リブの反ＡＣアダプタ寄り縁部に設けたフランジとによって、巻き取り部材を形成している。
【００１８】
本発明の請求項５に記載の無線電話機用充電装置では、本発明の請求項１乃至請求項４に記載の無線電話機用充電装置の構成に加えて、基端部分が給電用ケーブルに係合し且つ巻き取り部材に巻き付けた給電用ケーブルを巻き付け方向に覆い得る面ファスナあるいは伸縮性を有する無端帯状体を備えている。
【００１９】
本発明の請求項１及び請求項２に記載の無線電話機用充電装置のいずれにおいても、ＡＣアダプタをスタンドにより被覆して外形の小型化を図り、装置の携帯性を向上させ、更に、巻き取り部材に給電用ケーブルを巻き付けることにより、携帯時の給電ケーブルの取り扱いを容易にする。
【００２０】
本発明の請求項３及び請求項４に記載の無線電話機用充電装置のいずれにおいても、ＡＣアダプタをスタンドに挿入して外形の小型化を図り、装置の携帯性を向上させ、更に、巻き取り部材に給電用ケーブルを巻き付けることにより、携帯時の給電ケーブルの取り扱いを容易にする。
【００２１】
また、本発明の請求項２及び請求項４に記載の無線電話機用充電装置のいずれにおいても、リブに巻き付けた給電用ケーブルの脱落をフランジによって抑止する。
【００２２】
更に、本発明の請求項５に記載の無線電話機用充電装置においては、巻き取り部材に巻き付けた給電用ケーブルを、面ファスナあるいは伸縮性を有する無端帯状体により巻き付け方向に覆って、簡単な構造で安価に給電用ケーブルが解けることを防止する。
【００２３】
【発明の実施の形態】
以下、本発明の実施の形態を図面に基づいて説明する。
【００２４】
図１乃至図１５は本発明の無線電話機用充電装置の実施の形態の一例であり、図中、図１７及び図１８と同一の符号を付した部分は同一物を表している。
【００２５】
この無線電話機用充電装置は、ＡＣアダプタ１４、スタンド１５、置き台１６、給電用ケーブル２１、巻き取り部材３９及び面ファスナ４０を備えている。
【００２６】
ＡＣアダプタ１４は、屋内給電用のＡＣコンセント（図示せず）に挿入されるプラグ１８によって得た交流電流（ＡＣ１００Ｖ）を所定電圧値の直流電流に変換するように構成されている。
【００２７】
このＡＣアダプタ１４のケーシング１９の素材には、ＡＢＳ樹脂などの耐衝撃性に優れた合成樹脂を用いている。
【００２８】
ケーシング１９の一端面には、給電用ケーブル２１を挿通するための孔４１が穿設され且つ円形端面の周縁部から孔４１に向かってすり鉢状に窪む形状のケーブル座４２が設けられている（図１０乃至図１２参照）。
【００２９】
ケーシング１９の他端寄り部分には、プラグ１８を収納するための空隙２０が形成されており、プラグ１８は、ケーブル座４２が上側あるいは下側となるようにケーシング１９を位置させた状態において、空隙２０内に収納される位置と空隙２０外へ突出してＡＣコンセントに挿入され得る位置との間を、上下方向に延びる仮想線Ｘを中心として回動し得るように、ケーシング１９に枢支されている（図１、図４及び図１２参照）。
【００３０】
また、空隙２０は、ケーシング１９の一側部外方へ向かっても開口しており、当該開口部分に指を差し込んで、空隙２０内に収納されているプラグ１８を容易に回動させることができるようになっている。
【００３１】
更に、ケーシング１９のプラグ１８突出面の他端寄り縁部の左右には、小さな凹部４３が形成されている。
【００３２】
スタンド１５は、裏側が開口し且つＡＣアダプタ１４をプラグ１８突出面を除いて被覆するように収納可能な箱状中空体である（図１０乃至図１２参照）。
【００３３】
このスタンド１５の素材には、ＡＢＳ樹脂などの耐衝撃性に優れた合成樹脂を用いている。
【００３４】
スタンド１５の一端部には、スタンド１５内にＡＣアダプタ１４を収納する際に、ケーシング１９のケーブル座４２とスタンド１５との干渉を回避するための切り欠き部２２が形成されている。
【００３５】
スタンド１５の他端部には、スタンド１５内にＡＣアダプタ１４を収納する際に、ケーシング１９の左右の凹部４３に当接して係合可能なストッパ４４が設けられている。
【００３６】
スタンド１５内には、ケーシング１９の一側部に当接可能な複数の押え部材４５、並びにスタンド１５の一端部から他端部へ縦通する壁状の押え部材４６が設けられており、ＡＣアダプタ１４をスタンド１５内に収納する際に、押え部材４５，４６がケーシング１９の両側部に当接し且つストッパ４４がケーシング１９の凹部４３に当接して係合することによって、スタンド１５から外部へＡＣアダプタ１４が簡単に抜け出すことを抑制する。
【００３７】
また、押え部材４６とスタンド１５の他側部との間の空隙４７には、給電用ケーブル２１が挿通されており、押え部材４６には、空隙４７から外部へ給電用ケーブル２１が抜け出ることを防止するための突起４８が設けられている（図５、図１０乃至図１２参照）。
【００３８】
更に、スタンド１５の両側部には、開口縁から反開口縁へ向かって延びる線状の切込み４９が形成されており、たとえば、親指及び人差指による相互押圧程度の力Ｐで、スタンド１５の両側部を互いに近接する方向へ容易に弾性変形させることができるようになっている（図１、図５、図１０乃至図１２参照）。
【００３９】
置き台１６は、携帯電話機３の充電用端子５設置端の後面を支持する後方支持部２４及び当該充電用端子５設置端の両側面を支持する側方支持部２５を有し、左右の側方支持部２５の間に、携帯電話機３のインタフェース用コネクタ４に対応する空隙２６を形成している（図１参照）。
【００４０】
この置き台１６の素材には、ＡＢＳ樹脂などの耐衝撃性に優れた合成樹脂を用いている。
【００４１】
置き台１６の後方支持部２４には、携帯電話機３の充電用端子５設置端の後面に形成した凹陥２７に嵌合し得る突起２８が、一体的に設けられている（図１及び図３参照）。
【００４２】
置き台１６の側方支持部２５には、携帯電話機３の充電用端子５設置端の両側面に形成した充電用端子５設置端からアンテナ設置端へ向かって延びる溝２９に係合し得る凸条３０が、一体的に設けられている。
【００４３】
置き台１６の両側部には、前記のスタンド１５の両側部から置き台１６側へ延びる支持腕３１が嵌入する凹部５０と、両支持腕３１に設けた枢支短軸３２が挿入される枢支孔５１と、両支持腕３１に設けたスタンド側位置決め用突起５２が枢支孔５１を中心として変位可能に嵌入する案内用凹陥５３と、該案内用凹陥５３内に位置し且つスタンド側位置決め用突起５２に係合可能な置き台側位置決め用突起５４と、スタンド１５へ向かって突出し且つスタンド１５の両側部に設けた凹部５５に嵌入可能な脚部３３と、凹部５５の固定用孔３５に係合し得るように脚部３３から突出する固定用突起３４とが設けられており、置き台１６が枢支短軸３２を中心にスタンド１５に対して回動し得るようになっている（図５乃至図７参照）。
【００４４】
上記のスタンド側位置決め用突起５２は、枢支短軸３２の軸線方向に見ると、略涙滴形状に形成され、案内用凹陥５３は、枢支短軸３２の軸線方向に見ると、略扇型形状に形成されている。
【００４５】
これにより、置き台側位置決め用突起５４を支持腕３１のスタンド側位置決め用突起５２に係合させると、図８に示すように、スタンド１５を机の上面などの平坦面に載置した状態においては、スタンド１５に対して置き台１６が、該置き台１６に支持される携帯電話機３がそのアンテナ設置端が充電用端子５設置端よりも若干上方になった横倒し状態となるとともに、脚部３３の先端が机の上面などに当接し、また、図４に示すようにスタンド１５を壁などの垂直面に当接させた場合には、置き台１６に支持される携帯電話機３がそのアンテナ設置端が若干前方側へ傾いた起立状態になるとともに、脚部３３の先端が壁などに当接する。
【００４６】
脚部３３の固定用突起３４をスタンド１５の固定用孔３５に係合させると、図２に示すようにスタンド１５を机の上面などの平坦面に載置した状態においては、スタンド１５に対して置き台１６が、該置き台１６に支持される携帯電話機３がそのアンテナ設置端が若干後方側へ傾いた起立状態となる。
【００４７】
図２に示すように、側方から見てスタンド１５に対して略直線的に位置している置き台１６を、図４あるいは図８に示すように、側方から見てスタンド１５に対して屈折する状態に位置させる際には、スタンド１５の両側部の切込み４９よりも置き台１６側の部分を、たとえば、親指と人差指とによって互いに近接する方向へ押圧し、スタンド１５の固定用孔３５に対する脚部３３の固定用突起３４の係合を解除する。
【００４８】
また、置き台側位置決め用突起５４は、上記の如くスタンド１５に対して略直線的に位置している置き台１６を、スタンド１５に対して屈折する位置へ回動させる際にスタンド側位置決め用突起５２が摺動する緩斜面（図７においてスタンド側位置決め用突起５２が対峙していない面）と、スタンド１５に対して屈折する位置へ回動させた置き台１６がスタンド１５に対して略直線的に位置する方向へ戻らないようにするための急斜面（図７においてスタンド側位置決め用突起５２が対峙している面）とを有する断面形状に設定されている。
【００４９】
置き台１６の後方支持部２４の表面左右には、置き台１６をスタンド１５に対して屈折するように回動させた際に、スタンド１５の縁部に当接する微小突起５６が形成されており（図１及び図６参照）、該微小突起５６によって、後方支持部２４の表面へスタンド１５の縁部が当接することを抑止し、後方支持部２４の表面に傷が生じないようにしている。
【００５０】
また、置き台１６の左右の側方支持部２５の裏面には、滑り止め部材５７が取り付けられている（図６、図１０乃至図１２参照）。
【００５１】
この滑り止め部材５７には、ウレタンフォームなどの弾力性に富み且つ摩擦抵抗が大きな素材が用いられており、滑り止め部材５７が机の上面などに接することによって、置き台１６及びスタンド１５の滑落が抑制される。
【００５２】
更に、置き台１６には、給電用接片１７が携帯電話機３の充電用端子５に当接し得るように設けられている（図１参照）。
【００５３】
この給電用接片１７は、置き台１６に内装されたトーションスプリングなどの付勢手段により、置き台１６に支持される携帯電話機３の充電用端子５に押圧される。
【００５４】
また、給電用接片１７には、前記のＡＣアダプタ１４より出力される直流電流が給電用ケーブル２１を介して給電される。
【００５５】
この給電用ケーブル２１の置き台１６寄り部分は、前記の空隙４７内の枢支短軸３２の近傍に挿通されており、スタンド１５に対して置き台１６を回動させる際に、給電用ケーブル２１に過大な張力が付与されないようになっている。
【００５６】
先に述べた凸条３０の携帯電話機３前後方向の外寸は、溝２９の携帯電話機３前後方向の内法よりも小さく設定され、置き台１６に対する携帯電話機３の前後方向への揺動が許容されるようになっており、図８に示すように、置き台１６を携帯電話機３が横倒し状態になる位置に回動させたときには、携帯電話機３のアンテナ設置端を下方へ押し下げようとするモーメントにより、携帯電話機３の凹陥２７と後方支持部２４の突起２８とが係合して、携帯電話機３が置き台１６から抜け出すことが抑止され、携帯電話機３の充電用端子５が給電用接片１７に確実に当接して導通が確保される。
【００５７】
また、図２あるいは図４に示すように、携帯電話機３が起立状態になるときには、置き台１６に内装された付勢手段の押圧力と携帯電話機３の自重とにより、携帯電話機３の充電用端子５が給電用接片１７に確実に当接して導通が確保される。
【００５８】
巻き取り部材３９は、給電用ケーブル２１が巻き付けられ得るようにスタンド１５の一端部から突出するリブ５８と、該リブ５８の反スタンド寄り縁部に設けたフランジ５９とによって構成されており、リブ５８に巻き付けられる給電用ケーブル２１の脱落を、フランジ５９によって抑止するようになっている（図２、図４、図８、図１０乃至図１２参照）。
【００５９】
また、巻き取り部材３９には、リブ５８からフランジ５９を経て外方へ開口する切り欠き部６０が設けられている。
【００６０】
この切り欠き部６０は、リブ５８においては左右に延びる形状を呈し、フランジ５９に近接するほど開口両縁が狭まるように形成されている。
【００６１】
更に、フランジ５９の周縁形状は、左右中間部分において、リブ５８に近接するように形成されている。
【００６２】
面ファスナ４０は、引張強度が優れたポリアミド系繊維などを素材とするテープ６１と、微細径繊維のパイル編みによりテープ６１の一側全面に形成された多数のループ６２と、テープ６１の非ループ形成面の先端部分に植え込まれ且つループ６２に係合可能な屈曲線材状の多数のフック６３とによって構成されている（図１４及び図１５参照）。
【００６３】
面ファスナ４０の基端寄り部分は、テープ６１の非ループ形成面相互の溶着あるいは縫い合わせによって、給電用ケーブル２１を周方向に取り囲む環状に形成されている。
【００６４】
この面ファスナ４０の長さは、前記の巻き取り部材３９に巻き付けた給電用ケーブル２１を巻き付け方向に覆い得るように設定されている（図１２及び図１３参照）。
【００６５】
なお、図中、３７はデータ送受信用コネクタ、３８はデータ送受信用ケーブルであり、該データ送受信用ケーブル３８は、マイクロコンピュータ、ファックスなどの機器に接続されている。
【００６６】
図１乃至図１５に示す無線電話機用充電装置によって、携帯電話機３に内蔵されている電池に対する充電だけを机などの上面で行なう場合には、巻き取り部材３９から給電用ケーブル２１を解き、スタンド１５内のＡＣアダプタ１４を取り出して、プラグ１８を屋内給電用ＡＣコンセント（図示せず）に挿入する。
【００６７】
また、スタンド１５に対して置き台１６を、携帯電話機３が起立状態で支持される位置に回動させる（図２参照）。
【００６８】
次いで、携帯電話機３を置き台１６に支持させることにより、携帯電話機３の充電用端子５に置き台１６の給電用接片１７を当接させ、ＡＣアダプタ１４より出力される直流電流を、給電用接片１７を介して充電用端子５へ給電し、携帯電話機３に内蔵されている電池に対する充電を行なう。
【００６９】
このとき、携帯電話機３は、アンテナ設置端が若干後方へ傾いた起立状態になっているので、アンテナゲインの低下に起因する受信不良や、携帯電話機３に付属する発光ダイオード表示部１２及び液晶表示部１３（図１７参照）の視認性の低下が抑制される。
【００７０】
また、携帯電話機３から保護カバー８を取り外すことなく充電が行なえるので、充電中に保護カバー８を紛失することや、充電完了後に保護カバー８の装着を失念することがなくなる。
【００７１】
更に、携帯電話機３の溝２９に置き台１６の凸条３０が係合しているので、携帯電話機３の厚さ方向への転倒を防止することができる。
【００７２】
なお、スタンド１５及び置き台１６に対する屋内給電用ＡＣコンセントの位置が比較的近い場合には、給電用ケーブル２１の一部を巻き取り部材３９に巻き付けて繰り延べ長さを調整する。
【００７３】
このとき、面ファスナ４０を巻き取り部材３９の切り欠き部６０に差し込んで、巻き取り部材３９に巻き付けた給電用ケーブル２１が解けることを防止する。
【００７４】
携帯電話機３に内蔵されている電池に対する充電を机の上面などで行ないながら、携帯電話機３を用いてデータ送受信を行なう場合には、スタンド１５に対して置き台１６を、携帯電話機３が横倒し状態で支持される位置に回動させる（図８参照）。
【００７５】
また、携帯電話機３から保護カバー８を取り外したうえ、データ送受信用ケーブル３８を介してマイクロコンピュータ、ファックスなどの機器が接続されているデータ送受信用コネクタ３７を、携帯電話機３のインタフェース用コネクタ４に挿入する。
【００７６】
次いで、携帯電話機３を置き台１６に支持させることにより、データ送受信用コネクタ３７を置き台１６に形成されている空隙２６に介在させるとともに、携帯電話機３の充電用端子５に置き台１６の給電用接片１７を当接させ、ＡＣアダプタ１４より出力される直流電流を、給電用接片１７を介して充電用端子５へ給電し、携帯電話機３に内蔵されている電池に対する充電を行ないながら、携帯電話機３を用いたデータ送受信を行なう。
【００７７】
このとき、携帯電話機３は、置き台１６及びスタンド１５を介して机上などに置かれることになるので、アンテナゲインの低下に起因する送受信不良が抑制される。
【００７８】
また、置き台１６に設けた脚部３３の先端が、スタンド１５が載置される机上面などに当接するので、置き台１６の回動が抑止され、携帯電話機３が置き台１６に安定した状態で支持される。
【００７９】
更に、携帯電話機３のアンテナ設置端を下方へ押し下げようとするモーメントにより、携帯電話機３の凹陥２７と後方支持部２４の突起２８とが係合して、携帯電話機３が置き台１６から抜け出すことが抑止され、携帯電話機３の充電用端子５が給電用接片１７に確実に当接して、給電用接片１７と充電用端子５との導通が確保されるので、振動などに影響で充電用端子５と給電用接片１７とが離隔することがない。
【００８０】
携帯電話機３に内蔵されている電池に対する充電を、壁などの垂直面に設けられている屋内給電用ＡＣコンセントを用いて行なう場合（図４参照）には、スタンド１５内にＡＣアダプタ１４を収納し、巻き取り部材３９に給電用ケーブル２１を巻き付け、該給電用ケーブル２１を面ファスナ４０により巻き付け方向に覆い、フック６３をループ６２に係合させて、給電用ケーブル２１が解けることを抑止する（図１２及び図１３参照）。
【００８１】
また、スタンド１５に対して置き台１６を、携帯電話機３が起立状態で支持される位置に回動させ、プラグ１８を屋内給電用ＡＣコンセントに挿入する。
【００８２】
次いで、携帯電話機３を置き台１６に支持させることにより、携帯電話機３の充電用端子５に置き台１６の給電用接片１７を当接させ、ＡＣアダプタ１４より出力される直流電流を、給電用接片１７を介して充電用端子５へ給電し、携帯電話機３に内蔵されている電池に対する充電を行なう。
【００８３】
このとき、置き台１６に設けた脚部３３の先端が、壁面に当接するので、置き台１６の回動が抑止され、携帯電話機３が置き台１６に安定した状態で支持される。
【００８４】
また、ＡＣアダプタ１４のケーシング１９に形成した凹部４３に、スタンド１５に設けたストッパ４４が係合していること、並びに、巻き取り部材３９に給電用ケーブル２１を巻き付けていることによって、ＡＣアダプタ１４からスタンド１５が脱落することが抑止される。
【００８５】
更に、携帯電話機３の溝２９に置き台１６の凸条３０が係合しているので、携帯電話機３の厚さ方向への転倒を防止することができる。
【００８６】
なお、図４に示す状態でも、データ送受信用コネクタ３７を、携帯電話機３のインタフェース用コネクタ４に挿入することにより、携帯電話機３に内蔵されている電池に対する充電を行ないながら、携帯電話機３を用いたデータ送受信を行なうことができる。
【００８７】
無線電話機用充電装置を携帯するときには、プラグ１８が空隙２０に収納された状態のＡＣアダプタ１４を、スタンド１５によって略全体的に被覆し、装置全体形状の小型化を図る（図１１及び図１２参照）。
【００８８】
また、巻き取り部材３９に給電用ケーブル２１を巻き付け、該給電用ケーブル２１を面ファスナ４０により巻き付け方向に覆い、フック６３をループ６２に係合させて、給電用ケーブル２１が解けることを抑止する。
【００８９】
このように、図１乃至図１５に示す無線電話機用充電装置においては、ＡＣアダプタ１４をスタンド１５内に収納して外形の小型化を図るので、携帯性が向上し、また、巻き付け部材３９に巻き付けた給電用ケーブル２１を、面ファスナ４０により巻き付け方向に覆って、給電用ケーブル２１が解けることを防止するので、給電用ケーブル２１の取り扱いが容易になる。
【００９０】
更に、面ファスナ４０は、巻き取り部材３９に巻き付けられた給電用ケーブル２１の周囲を平らに覆うので、該給電用ケーブル２１が目立たず、よって、給電用ケーブル２１を巻き取り部材３９に巻き付けた状態における装置の美的外観の向上を図ることができる。
【００９１】
図１６は本発明の無線電話機用充電装置の実施の形態の他の例であり、図中、図１乃至図１５と同一の符号を付した部分は同一物を表している。
【００９２】
この無線電話機用充電装置は、ＡＣアダプタ６４、スタンド６５、置き台１６、給電用ケーブル２１、巻き取り部材６６及び面ファスナ４０を備えている。
【００９３】
ＡＣアダプタ６４は、屋内給電用のＡＣコンセント（図示せず）に挿入されるプラグ１８によって得た交流電流（ＡＣ１００Ｖ）を所定電圧値の直流電流に変換するように構成されている。
【００９４】
このＡＣアダプタ６４のケーシング６７の素材には、ＡＢＳ樹脂などの耐衝撃性に優れた合成樹脂を用いている。
【００９５】
また、ＡＣアダプタ６４には、給電用ケーブル２１が巻き付けられ得るようにケーシング６７の一端部から突出するリブ６８と、該リブ６８の反スタンド寄り縁部に設けたフランジ６９とによって構成される巻き取り部材６６が設けられており、リブ６８に巻き付けられる給電用ケーブル２１の脱落を、フランジ６９によって抑止するようになっている。
【００９６】
また、巻き取り部材６６には、リブ６８からフランジ６９を経て外方へ開口する切り欠き部７０が設けられている。
【００９７】
この切り欠き部７０は、リブ６８においては左右に延びる形状を呈し、フランジ６９に近接するほど開口両縁が狭まるように形成されている。
【００９８】
更に、フランジ６９の周縁形状は、左右中間部分において、リブ６８に近接するように形成されている。
【００９９】
ケーシング６７の他端寄り部分には、プラグ１８を収納するための空隙が形成されており、プラグ１８は、空隙内に収納される位置と空隙外へ突出してＡＣコンセントに挿入され得る位置との間を回動し得るように、ケーシング６７に枢支されている。
【０１００】
更に、ケーシング６７のプラグ１８突出面の左右両縁部には、上記の空隙形成部分を除き、ケーシング６７の一端から他端へ向かって線状に延びる凹部７１が形成されている。
【０１０１】
また、ケーシング６７の左右縁部には、凹部７１に連なる半円弧状の凹陥７２が形成されている。
【０１０２】
スタンド６５は、裏側と一端とが開口し且つ一端側からＡＣアダプタ６４が挿入可能な箱状中空体である。
【０１０３】
このスタンド６５の素材には、ＡＢＳ樹脂などの耐衝撃性に優れた合成樹脂を用いている。
【０１０４】
スタンド６５内には、ＡＣアダプタ６４の挿入方向へ延び且つケーシング６７の左右側面が摺接する壁状の案内部材７３と、該案内部材７３に連なり且つケーシング６７の凹部７１が摺接する第１のストッパ７４と、該第１のストッパ７４の中間部分から突出し且つケーシング６７の凹陥７２に係合可能な半円状の第２のストッパ７５とが設けられており、スタンド６５の左右側部と案内部材７３との間には、空隙７６が形成されている。
【０１０５】
スタンド６５の両側部には、開口縁から反開口縁へ向かって延びる線状の切込み７７が形成されており、たとえば、親指及び人差指による相互押圧程度の力でスタンド６５の両側部を互いに近接する方向へ容易に弾性変形させることができるようになっている。
【０１０６】
更に、スタンド６５の一端には、外部から一方の空隙７６へ貫通する孔７８が穿設されており、ＡＣアダプタ６４に接続した給電用ケーブル２１は、孔７８及び空隙７６に挿通され、置き台１６に接続されている。
【０１０７】
置き台１６は、スタンド６５の両側部から延びる支持腕７９によって、スタンド６５に対して回動可能に支持されている。
【０１０８】
この支持腕７９は、先に述べた支持腕３１（図４乃至図８）と同様な構造になっている。
【０１０９】
図１６に示す携帯電話機用充電装置においては、ＡＣアダプタ６４をスタンド６５内へ挿入すると、ケーシング６７の凹部７１に当接する第１のストッパ７４によって、ＡＣアダプタ６４の厚さ方向への変位が規制され、また、ケーシング６７の凹陥７２に第２のストッパ７５が係合することによって、ＡＣアダプタ６４の挿入方向への変位が拘束されることになる。
【０１１０】
また、第２のストッパ７５が凹陥７２に対して係合していない状態では、第２のストッパ７５がケーシング６７の縁部に接して左右の案内部材７３が第１のストッパ７４を介して弾性変形して押し広げられた状態になるので、ＡＣアダプタ６４がスタンド６５から簡単に抜け出すことが抑制される。
【０１１１】
無線電話機用充電装置を携帯するときには、プラグ１８が凹部に収納された状態のＡＣアダプタ６４をスタンド６５に挿入して、装置全体形状の小型化を図る。
【０１１２】
また、巻き取り部材６６に給電用ケーブル２１を巻き付け、該給電用ケーブル２１を面ファスナ４０により巻き付け方向に覆い、給電用ケーブル２１が解けることを抑止する。
【０１１３】
このように、図１６に示す無線電話機用充電装置においては、ＡＣアダプタ６４をスタンド６５内に収納して外形の小型化を図るので、携帯性が向上し、また、巻き付け部材６６に巻き付けた給電用ケーブル２１を、面ファスナ４０により巻き付け方向に覆って、給電用ケーブル２１が解けることを防止するので、給電用ケーブル２１の取り扱いが容易になる。
【０１１４】
更に、面ファスナ４０は、巻き取り部材６６に巻き付けられた給電用ケーブル２１の周囲を平らに覆うので、該給電用ケーブル２１が目立たず、よって、給電用ケーブル２１を巻き取り部材６６に巻き付けた状態における装置の美的外観の向上を図ることができる。
【０１１５】
なお、本発明の無線電話機用充電装置は上述した実施の形態のみに限定されるものではなく、本発明の要旨を逸脱しない範囲において下記のような変更を加え得ることは勿論である。
【０１１６】
たとえば、スタンド１５の一端面とフランジ５９との間隔、あるいはＡＣアダプタ６４の一端面とフランジ６９との間隔に応じた部材幅の無端帯状体を、合成ゴムなどの伸縮性に富んだ素材によって形成し、この無端帯状体を、先に述べた面ファスナ４０に替えて、給電用ケーブル２１が巻き取り部材３９，６６から解けることを防止する手段として用いることもできる。
【０１１７】
無端帯状体を用いる場合には、該無端帯状体の所定箇所に給電用ケーブル２１を周方向に取り囲む小径の環状部を一体的に設け、無端帯状体の周長を、巻き取り部材３９，６６に巻き付けた給電用ケーブル２１に無端帯状体が外嵌密着するように設定しておく。
【０１１８】
このように、面ファスナ４０に替えて、伸縮性を有する無端帯状体を用いても、該無端帯状体が、巻き取り部材３９，６６に巻き付けられた給電用ケーブル２１の周囲を平らに覆うことになるので、該給電用ケーブル２１が目立たず、よって、給電用ケーブル２１を巻き取り部材３９，６６に巻き付けた状態における装置の美的外観の向上を図ることができる。
【０１１９】
【発明の効果】
以上述べたように、本発明の無線電話機用充電装置によれば、下記のような種々の優れた効果を奏し得る。
【０１２０】
（１）本発明の請求項１及び請求項２に記載の無線電話機用充電装置のいずれにおいても、ＡＣアダプタをスタンドにより被覆して外形を小型化するので、装置の携帯性の向上を図ることができ、更に、巻き付け部材に給電用ケーブルを巻き付けることにより、携帯時の給電用ケーブルの取り扱いが容易になる。
【０１２１】
（２）本発明の請求項３及び請求項４に記載の無線電話機用充電装置のいずれにおいても、ＡＣアダプタをスタンドに挿入して外形を小型化するので、装置の携帯性の向上を図ることができ、更に、巻き付け部材に給電用ケーブルを巻き付けることにより、携帯時の給電用ケーブルの取り扱いが容易になる。
【０１２２】
（３）本発明の請求項２及び請求項４に記載の無線電話機用充電装置においては、給電用ケーブルが巻き付けられるリブと該リブに設けたフランジとによって巻き取り部材を構成しているので、リブに巻き付けた給電用ケーブルの脱落を抑止することができる。
【０１２３】
（４）本発明の請求項５に記載の無線電話機用充電装置においては、巻き取り部材に巻き付けた給電用ケーブルを、面ファスナあるいは伸縮性を有する無端帯状体により巻き付け方向に覆うので、簡単な構造で安価に給電用ケーブルが解けることを防止することができ、また、給電用ケーブルが面ファスナあるい無端帯状体で覆われて目立たなくなるので、携帯時における装置の美的外観の向上を図ることができる。
【図面の簡単な説明】
【図１】本発明の無線電話機用充電装置の実施の形態の一例を示す全体斜視図である。
【図２】本発明の無線電話機用充電装置の実施の形態の一例において携帯電話機に対する充電だけを机などの上面で行なう状態を示す部分切断側面図である。
【図３】図２のＩＩＩ部分拡大図である。
【図４】本発明の無線電話機用充電装置の実施の形態の一例において携帯電話機に対する充電を壁などの垂直面に設けられている屋内給電用ＡＣコンセントを用いて行なう状態を示す部分切断側面図である。
【図５】図１のＶ−Ｖ方向断面図である。
【図６】図１におけるスタンド及び置き台の詳細を示す部分拡大図である。
【図７】図６のＶＩＩ−ＶＩＩ矢視図である。
【図８】本発明の無線電話機用充電装置の実施の形態の一例において携帯電話機に対する充電を机などの上面で行なうとともに携帯電話機を用いてデータ送受信を行なう状態を示す部分切断側面図である。
【図９】図８のＩＸ部分拡大図である。
【図１０】本発明の無線電話機用充電装置の実施の形態の一例においてＡＣアダプタをスタンドから取り出した状態を裏側から見た全体斜視図である。
【図１１】本発明の無線電話機用充電装置の実施の形態の一例においてＡＣアダプタをスタンド内に収納し且つ巻き取り部材に給電用ケーブルを巻き付けている状態を裏側から見た全体斜視図である。
【図１２】本発明の無線電話機用充電装置の実施の形態の一例においてＡＣアダプタをスタンド内に収納し且つ巻き取り部材に巻き付けた給電用ケーブルを面ファスナで覆った状態を裏側から見た全体斜視図である。
【図１３】図１における巻き取り部材に対する給電用ケーブルの巻き付け状態を示す図である。
【図１４】図１における面ファスナの詳細を示す部分拡大図である。
【図１５】図１における面ファスナの詳細を示す部分拡大図である。
【図１６】本発明の無線電話機用充電装置の実施の形態の他の例においてＡＣアダプタをスタンドから取り出した状態を裏側から見た全体斜視図である。
【図１７】従来の無線電話機用充電装置の一例を示す全体斜視図である。
【図１８】携帯電話機の一例の充電用端子設置端を示す部分斜視図である。
【符号の説明】
３    携帯電話機（無線電話機）
５    充電用端子
１４，６４    ＡＣアダプタ
１５，６５    スタンド
１６  置き台
１７  給電用接片
２１  給電用ケーブル
３９，６６    巻き取り部材
４０  面ファスナ
５８，６８  リブ
５９，６９  フランジ
６０，７０  切り欠き部
【図１】
0003911100.tif 000002
【図２】
0003911100.tif 000003
【図３】
0003911100.tif 000004
【図４】
0003911100.tif 000005
【図５】
0003911100.tif 000006
【図６】
0003911100.tif 000007
【図７】
0003911100.tif 000008
【図８】
0003911100.tif 000009
【図９】
0003911100.tif 000010
【図１０】
0003911100.tif 000011
【図１１】
0003911100.tif 000012
【図１２】
0003911100.tif 000013
【図１３】
0003911100.tif 000014
【図１４】
0003911100.tif 000015
【図１５】
0003911100.tif 000016
【図１６】
0003911100.tif 000017
【図１７】
0003911100.tif 000018
【図１８】
0003911100.tif 000019